(57)【要約】      （修正有）【課題】高さ調整機能を備えた枕において、高さを十分に確保しつつ、簡素な構造とすることにより製造コストの低減を図ることができる枕を提供する。【解決手段】枕１は、空気の出し入れによって高さが変化する高さ調節部２を具える。高さ調節部２は、空気収容空間３１を具えた空気袋３と、一端側が空気収容空間と連通したホース４と、ホースの他端側に設けられた弁装置５とを有する。空気収容空間３１には、第１弾性体６が収容される。弁装置５は、空気収容空間３１の空気を大気に連通させる第１状態と、空気収容空間の空気を大気と遮断して空気袋の圧力を保持する第２状態とに切り替え可能である。空気収容空間は、軸線に沿って折り曲げられることにより、下側部と、その上に重なる上側部とを有する。【選択図】図１
0003187170.tif 000002
【実用新案登録請求の範囲】
【請求項１】
空気の出し入れによって高さが変化する高さ調節部を具えた枕であって、
前記高さ調節部は、
第１弾性体が収容されている空気収容空間を具えた空気袋と、
一端側が前記空気収容空間と連通したホースと、
前記ホースの他端側に設けられた弁装置とを含み、
前記弁装置は、前記空気収容空間の空気を大気に連通させる第１状態と、前記空気収容空間の空気を大気と遮断して空気袋の圧力を保持する第２状態とに切り替え可能であり、
前記空気袋の前記空気収容空間は、任意の軸線に沿って折り曲げられることにより、下側部と、その上に重なる上側部とを有していることを特徴とする枕。
【請求項２】
前記空気袋は、前記軸線で折り曲げられた側の側縁が、枕の縁側に面するように配されている請求項１記載の枕。
【請求項３】
前記空気袋は、第１空気袋と、その両側に配された一対の第２空気袋とを有し、
前記第１空気袋と前記第２空気袋とは、それぞれ独立した空気収容空間を具えており、
前記第２空気袋は、前記第１空気袋よりも大きい高さに膨張することができる請求項１又は２に記載の枕。
【請求項４】
前記弁装置と前記一対の第２空気袋とは、同一系統の前記ホースを介して連通され、該一対の第２空気袋は、連動して高さを調節できる請求項３記載の枕。
【請求項５】
前記弁装置と前記一対の第２空気袋とは、別系統の前記ホースを介して連通され、該一対の第２空気袋は、独立して高さを調節できる請求項３記載の枕。
【請求項６】
前記枕は、平面視において、長縁と短縁とを有する矩形状であり、
前記第１空気袋及び前記一対の第２空気袋は、前記長縁に沿って並べられている請求項３乃至５のいずれかに記載の枕。
【請求項７】
前記枕は、一方の長縁側に、前記高さ調節部が配されており、他方の長縁側に、空気袋を有しない第２弾性体が配されている請求項６記載の枕。
【請求項８】
前記第１空気袋の前記短縁に沿った長さが、前記第２空気袋の前記短縁に沿った長さよりも小さいことにより、前記第１空気袋と前記第２弾性体との間に凹部が設けられている請求項７記載の枕。
【請求項９】
前記第２弾性体は、前記第１空気袋に隣接して設けられたパイプ状の中空構造体と、前記第２空気袋に隣接して設けられたチップウレタンとを含んでいる請求項７又は８に記載の枕。
【請求項１０】
枕を吊り下げるためのストラップをさらに有する請求項１乃至９のいずれかに記載の枕。
【請求項１１】
前記弁装置は、大気と第１空気袋又は第２空気袋の空気収容空間との連通状態を個別に切り替えるための第１操作部と、大気と第１空気袋及び第２空気袋の空気収容空間との連通状態を同時に切り替えるための第２操作部とを有する請求項３乃至１０のいずれかに記載の枕。
【請求項１２】
前記第２操作部は、操作状態を維持可能である請求項１１記載の枕。
【考案の詳細な説明】
【技術分野】
【０００１】
本考案は、空気の出し入れによって高さを調整可能な枕に関する。
【背景技術】
【０００２】
従来から、高さ調整機能を備えた枕が種々提案されている。
【０００３】
例えば、下記特許文献１では、枕の高さを十分に確保すべく上下２層に独立して設けられた空気袋を有する枕が開示されている。
【０００４】
また、下記特許文献２では、特許文献１に係る枕の空気袋にホースを介して接続され、空気袋の圧力を調整するのに好適な弁装置が開示さている。
【先行技術文献】
【特許文献】
【０００５】
【特許文献１】実登第３１６０８０４号公報
【０００６】
【特許文献２】実登第３１６０８０１号公報
【０００７】
しかしながら、上記特許文献１に開示された枕においては、独立した空気袋が上下２層に配設されることから、枕の構造が複雑となり、製造コストを低減することが困難である。特に、枕の長縁に沿って複数の独立した空気袋が並設される枕にあっては、各層毎に複数の空気袋が行列状に配設されることとなるため、枕の構造がより一層複雑となる。
【考案の概要】
【考案が解決しようとする課題】
【０００８】
本考案は、以上のような実状に鑑み案出されたもので、高さ調整機能を備えた枕において、高さを十分に確保しつつ、簡素な構造とすることにより製造コストの低減を図ることができる枕を提供することを主たる目的としている。
【課題を解決するための手段】
【０００９】
本考案は、空気の出し入れによって高さが変化する高さ調節部を具えた枕であって、前記高さ調節部は、第１弾性体が収容されている空気収容空間を具えた空気袋と、一端側が前記空気収容空間と連通したホースと、前記ホースの他端側に設けられた弁装置とを含み、前記弁装置は、前記空気収容空間の空気を大気に連通させる第１状態と、前記空気収容空間の空気を大気と遮断して空気袋の圧力を保持する第２状態とに切り替え可能であり、前記空気袋の前記空気収容空間は、任意の軸線に沿って折り曲げられることにより、下側部と、その上に重なる上側部とを有していることを特徴とする。
【００１０】
本考案に係る前記枕において、前記空気袋は、前記軸線で折り曲げられた側の側縁が、枕の縁側に面するように配されていることが望ましい。
【００１１】
本考案に係る前記枕において、前記空気袋は、第１空気袋と、その両側に配された一対の第２空気袋とを有し、前記第１空気袋と前記第２空気袋とは、それぞれ独立した空気収容空間を具えており、前記第２空気袋は、前記第１空気袋よりも大きい高さに膨張することができることが望ましい。
【００１２】
本考案に係る前記枕において、前記弁装置と前記一対の第２空気袋とは、同一系統の前記ホースを介して連通され、該一対の第２空気袋は、連動して高さを調節できることが望ましい。
【００１３】
本考案に係る前記枕において、前記弁装置と前記一対の第２空気袋とは、別系統の前記ホースを介して連通され、該一対の第２空気袋は、独立して高さを調節できることが望ましい。
【００１４】
本考案に係る前記枕において、前記枕は、平面視において、長縁と短縁とを有する矩形状であり、前記第１空気袋及び前記一対の第２空気袋は、前記長縁に沿って並べられていることが望ましい。
【００１５】
本考案に係る前記枕において、前記枕は、一方の長縁側に、前記高さ調節部が配されており、他方の長縁側に、空気袋を有しない第２弾性体が配されていることが望ましい。
【００１６】
本考案に係る前記枕において、前記第１空気袋の前記短縁に沿った長さが、前記第２空気袋の前記短縁に沿った長さよりも小さいことにより、前記第１空気袋と前記第２弾性体との間に凹部が設けられていることが望ましい。
【００１７】
本考案に係る前記枕において、前記第２弾性体は、前記第１空気袋に隣接して設けられたパイプ状の中空構造体と、前記第２空気袋に隣接して設けられたチップウレタンとを含んでいることが望ましい。
【００１８】
本考案に係る前記枕において、枕を吊り下げるためのストラップをさらに有することが望ましい。
【００１９】
本考案に係る前記枕において、前記弁装置は、大気と第１空気袋又は第２空気袋の空気収容空間との連通状態を個別に切り替えるための第１操作部と、大気と第１空気袋及び第２空気袋の空気収容空間との連通状態を同時に切り替えるための第２操作部とを有することが望ましい。
【００２０】
本考案に係る前記枕において、前記第２操作部は、操作状態を維持可能であることが望ましい。
【考案の効果】
【００２１】
本考案の枕は、空気袋の空気収容空間に第１弾性体が収容され、弁装置によって空気収容空間の空気を出し入れし、枕の高さが調節される。空気袋の空気収容空間は、任意の軸線に沿って折り曲げられることにより、下側部と上側部とを有する。これにより、単一の空気袋によって枕を上下方向に２層化できるため、高さを十分に確保しつつ、枕の構造を簡素なものとすることができ、枕の製造コストの低減を図ることができる。
【図面の簡単な説明】
【００２２】
【図１】本考案の枕の一実施形態を示す斜視図である。
【図２】図１の枕の空気袋の平面図である。
【図３】図２の空気袋の正面図である。
【図４】図２の空気袋の斜視図である。
【図５】図２の空気袋のＡ−Ａ線断面図である。
【図６】図５の空気袋が折り曲げられる様子を示す断面図である。
【図７】図５の空気袋から空気が排出された状態を示す断面図である。
【図８】図１の枕の裏面側から視た斜視図である。
【図９】図１の枕を干している状態を示す背面図である。
【図１０】図１の弁装置の構成を示す断面図である。
【図１１】図１０の弁装置のＢ−Ｂ線断面図である。
【図１２】図１０の第１ボタンが押下された状態の弁装置を示す断面図である。
【図１３】図１０のスライドスイッチが操作された状態の弁装置を示す断面図である。
【考案を実施するための形態】
【００２３】
以下、本考案の実施の一形態が図面に基づき説明される。
図１は、本実施形態の枕１の一部を破断して示した斜視図である。図１に示されるように、本実施形態の枕１は、平面視において矩形状に形成されている。枕１は、空気の出し入れによって高さが変化する高さ調節部２を具えている。
【００２４】
高さ調節部２は、空気袋３と、ホース４と、弁装置５とを有している。枕１の使用者は、弁装置５を操作することにより、自身の体格や好み等に合わせて、高さ調節部２の高さを適宜調節することができる。
【００２５】
空気袋３は、密封性を有する素材により構成されており、空気を収容し閉じ込めておく空気収容空間３１を具える。空気収容空間３１には、空気と共に第１弾性体６が収容されている。第１弾性体６が膨張することにより、空気袋３の空気収容空間３１に空気が充填される。第１弾性体６の弾性及び空気収容空間３１に充填されている空気が空気ばねとして機能することにより、枕１が柔らかく変形し、快適な寝心地が得られる。
【００２６】
ホース４は、空気袋３の空気収容空間３１に埋設されている。ホース４の一端側４ａは、空気収容空間３１と連通している。ホース４の他端側４ｂは、枕１の外部に延出されている。ホース４の他端側４ｂには、弁装置５が設けられている。ホース４は、可撓性を有する素材によって形成されており、空気袋３の内部及び外部において柔軟に変形可能である。
【００２７】
弁装置５は、空気収容空間３１の空気を出し入れする。弁装置５は、ホース４を介して空気収容空間３１と接続されている。弁装置５は、空気収容空間３１と大気との連通状態を切り替える機能を有する。すなわち弁装置５は、空気収容空間３１の空気を大気に連通させる第１状態と、空気収容空間３１の空気を大気から遮断して空気袋３の圧力を保持する第２状態とに切り替え可能に構成されている。弁装置５によって空気収容空間３１の空気が出し入れされることにより、枕１の高さが調節される。
【００２８】
図２乃至図４は、空気袋３の外観を示している。図５は、空気袋３の断面を示している。空気袋３は、枕１の長縁１ａに平行な軸線３ａに沿って折り曲げられている。本実施形態において、軸線３ａは、枕１の長縁１ａに平行に設定されているが、空気袋３は、任意の軸線によって折り曲げ可能である。
【００２９】
図６は、空気袋３が折り曲げられる様子を示している。折り曲げられる前の空気袋３は、図６において実線にて示されるように、偏平な形状を有している。空気袋３は、例えば、外面部３Ａと内面部３Ｂとによって構成される。外面部３Ａと内面部３Ｂとは、周縁部において貼り合わせられることにより一体化され、空気収容空間３１が密閉される。外面部３Ａと内面部３Ｂとの間に形成された空気収容空間３１には、第１弾性体６が収容されている。
【００３０】
ホース４の一端側４ａには、ホース４を固定するための固定具４１が装着されている。固定具４１には、貫通穴４１ａが形成されている。固定具４１は、空気袋３の内面部３Ｂを貫通し、貫通穴４１ａを介して、ホース４の内部と空気収容空間３１とを連通させる。
【００３１】
図６に示されるように、空気袋３の一端側３ｂが軸線３ａに沿って矢印Ｒ方向に折り曲げられることにより、空気袋３の空気収容空間３１は、図５に示されるように、下側部３１ａと、その上に重なる上側部３１ｂとを有する。このとき、空気袋３の折り曲げに伴い、空気袋３の軸線３ａ近傍の内面部３Ｂは、襞状に折り畳まれる。折り曲げられた空気袋３の外面部３Ａの両端縁３Ａａ及び３Ａｂが、互いに貼り合わせられることにより、高さの大きい空気袋３が得られる。本実施形態においては、空気袋３が折り曲げられることにより、折り曲げ前の空気袋３に対して約２倍の高さの空気袋３が得られる。
【００３２】
図７は、ホース４及び弁装置５を介して、空気収容空間３１の空気が排出された空気袋３を示している。枕１の使用者は、頭部等の自重によって空気袋３を圧縮しながら弁装置５を操作することにより、空気収容空間３１の空気を排出することができる。空気収容空間３１の空気を排出することにより、使用者の体格等に応じて、高さ調節部２の高さ、すなわち空気袋３の高さが調節されうる。なお、第１弾性体６の弾性力（ふわふわ感）を長期にわたって維持するには、枕１の使用後に弁装置５を操作することにより、空気収容空間３１を膨張させておくことが望ましい。
【００３３】
本実施形態の枕１においては、上述したように、空気袋３の空気収容空間３１が軸線３ａに沿って折り曲げられることにより、空気収容空間３１が下側部３１ａと上側部３１ｂとを有している。これにより、枕１の高さが十分に確保される。さらに、単一の空気袋３によって枕１を上下に２層化できるため、枕１の構造を簡素なものとすることができ、枕１の製造コストの低減を図ることができる。
【００３４】
図１及び図５に示されるように、空気袋３は、軸線３ａで折り曲げられた側の側縁３ｃが、枕１の縁側（例えば、本実施形態では長縁１ａ側）に面するように配されている。これにより、外面部３Ａと内面部３Ｂとの貼り合わせ及び空気袋３の折り曲げによって生ずる空隙３ｄが枕１の縁に存在することなく、第１弾性体６が隙間なく充填される。従って、枕１の縁においても十分な弾性力が発生され、快適な寝心地が得られる。
【００３５】
図１乃至図４に示されるように、空気袋３は、第１空気袋８１と、一対の第２空気袋８２とを有している。第１空気袋８１と第２空気袋８２とは、それぞれ独立した空気収容空間３１を具えており、それぞれが異なる高さに調節可能である。
【００３６】
図１に示されるように、枕１は、平面視において、長縁１ａ、１ｂと短縁１ｃ、１ｄとを有する矩形状である。第１空気袋８１及び一対の第２空気袋８２は、長縁１ａに沿って並べられている。第１空気袋８１は、空気袋３の中央部に設けられており、仰向け状態の使用者の頭部を支持することができる。一対の第２空気袋８２は、第１空気袋８１の両側に配設されており、寝返りを打って横向き状態の使用者の頭部を支持することができる。
【００３７】
図２に示されるように、第１空気袋８１及び一対の第２空気袋８２の内部に形成される各空気収容空間３１には、それぞれホース４が延出されている。各ホース４の他端側４ｂは、固定具４１によって、第１空気袋８１又は第２空気袋８２に固定される。ホース４は、第１空気袋８１と第２空気袋８２とに対して、２つの系統に分けて設けられている。これにより、弁装置５を操作して第１空気袋８１と大気との連通状態、及び第２空気袋８２と大気との連通状態をそれぞれ独立して切り替え可能となる。弁装置５と第２空気袋８２とを連通させるホース４は、一対の第２空気袋８２のそれぞれに達するように、分岐部４０を介して分岐されている。これにより、弁装置５と一対の第２空気袋８２とは、同一系統のホース４を介して連通され、一対の第２空気袋８２は、連動して高さを調節できる。
【００３８】
ホース４は、第１空気袋８１及び一対の第２空気袋８２に対してそれぞれ別系統、すなわち３つの系統に分けて設けられていてもよい。この場合、分岐部４０は不要となり、弁装置５と一対の第２空気袋８２とは、それぞれ別系統のホース４を介して連通され、一対の第２空気袋８２は、独立して高さを調節できる。
【００３９】
第２空気袋８２は、第１空気袋８１よりも大きい空気収容空間３１を具えており、第１空気袋８１よりも大きい高さに膨張することができる。使用者は、弁装置５を操作して第２空気袋８２を第１空気袋８１よりも大きい高さに膨張させることにより、横向き状態の使用者の頭部は、より高い位置で支持される。これにより、横向き状態における使用者の肩部から首部等にかかる負担が軽減され、快適な寝心地を得ることが可能になる。
【００４０】
図１に示されるように、枕１は、一方の長縁１ａ側に、高さ調節部２が配されており、他方の長縁１ｂ側に、空気袋３を有しない第２弾性体９１、９２が配されている。第２弾性体９１は、第１空気袋８１に隣接して配設されている。一対の第２弾性体９２は、第２空気袋８２に隣接して配設されている。第２弾性体９１、９２によって、使用者の頭頂部の近傍が支持され、快適な寝心地を得ることが可能になる。
【００４１】
図２によく示されるように、本実施形態の枕１にあっては、第１空気袋８１の短縁１ｃ（図１参照）に沿った長さが、第２空気袋８２の短縁１ｃに沿った長さよりも小さく設定されている。これにより、第１空気袋８１と第２弾性体９１（図１参照）との間に、凹部８３が設けられている。このような凹部８３は、仰向け時の使用者の首部のカーブを立ち姿勢と同等の自然なカーブに維持することができ、快適な寝心地を得ることが可能になる。
【００４２】
第１空気袋８１に隣接して設けられた第２弾性体９１は、パイプ状の中空構造体を含んでいる。これにより、第２弾性体９１における通気性が高められ、かつパイプ状の中空構造体の有する適度な弾性力と相まって、快適な寝心地を得ることが可能になる。
【００４３】
一方、第２空気袋８２に隣接して設けられた第２弾性体９２は、低反発特性を有するチップウレタンを含んでいる。これにより、第２弾性体９２が横向き状態における使用者の頭部を柔らかく支持し、快適な寝心地を得ることが可能になる。
【００４４】
図８は、枕１を裏面側から視た斜視図を示している。図９は、枕１を干している状態を示す背面図である。枕１は、空気袋３、第２弾性体９１及び第２弾性体９２を収容する布袋体１０を有している。布袋体１０の外側には、枕カバー（図示せず）が必要に応じて装着される。
【００４５】
枕１の裏面には、一対のストラップ１１が設けられている。ストラップ１１は、布袋体１０に設けられている。本実施形態の枕１は、一対のストラップ１１を有しているので、枕１をハンガー１００等に吊り下げることが可能となる。図９に示されるように、枕１がハンガー１００等を用いて吊り下げられることにより、枕１を干すことができ、これにより、第１弾性体６及び第２弾性体９１、９２等にたまった湿気が排出され、枕１を乾燥しうる。
【００４６】
図１０は、弁装置５の断面図である。弁装置５は、大気と第１空気袋８１又は第２空気袋８２の空気収容空間３１との連通状態を個別に切り替えるための第１操作部５１と、大気と第１空気袋８１及び第２空気袋８２の空気収容空間３１との連通状態を同時に切り替えるための第２操作部５２と、第１操作部５１及び第２操作部５２を収容するケーシング５３とを有する。
【００４７】
第１操作部５１は、第１空気袋８１の空気収容空間３１と大気との連通状態を切り替えるための第１ボタン５４と、第２空気袋８２の空気収容空間３１と大気との連通状態を切り替えるための第２ボタン５５とを有する。第１ボタン５４は、第１弁５６と当接されている。第２ボタン５５は、第２弁５７と当接されている。
【００４８】
既に述べたように、弁装置５と一対の第２空気袋８２とが、それぞれ別系統のホース４を介して連通される場合は、それぞれの第２空気袋８２に対応するように、第１操作部５１には一対の第２ボタン５５及び第２弁５７等が装備される。
【００４９】
ケーシング５３は、第１弁５６を収容する第１空気室５３ａと、第２弁５７を収容する第２空気室５３ｂと、内部空間５３ｃと、内部空間５３ｃと大気を連通させるための貫通穴５３ｄを有している。第１空気室５３ａ及び第２空気室５３ｂには、それぞれホース４（図１参照）が装着されている。
【００５０】
第１弁５６の上部には、第１弁５６と第１空気室５３ａとの密封性を高めるための密封体５６ａが装着されている。密封体５６ａは、例えば、Ｏリング等によって構成されている。第１弁５６の下部には、第１弁５６を第１ボタン５４の側に付勢する第１ばね５６ｂが配設されている。
【００５１】
同様に、第２弁５７の上部には、第２弁５７と第２空気室５３ａとの密封性を高めるための密封体５６ａが装着されている。第２弁５７の下部には、第２弁５７を第２ボタン５５の側に付勢する第２ばね５７ｂが配設されている。
【００５２】
図１１は、弁装置５のＢ−Ｂ線断面図を示している。図１２は、第１ボタン５４が押下された状態の弁装置５のＢ−Ｂ線断面図を示している。
【００５３】
使用者によって第１ボタン５４が矢印Ｃ１方向に押下されると、図１２に示されるように、第１弁５６及び密封体５６ａが第１ボタン５４に連動して下降し、第１空気室５３ａの天壁から離反する。これに伴い、密封体５６ａと第１空気室５３ａの天壁との間に隙間が生じ、ケーシング５３の内部空間５３ｃとホース４の内部とが連通される。これにより、第１空気袋８１の空気収容空間３１と大気とが連通する第１状態が実現される。かかる第１状態によって第１空気袋８１の高さが調節される。より具体的には、使用者は、第１ボタン５４を押下しながら頭部の自重を第１空気袋８１にかけることにより、第１空気袋８１が収縮し、その高さが小さくなる。一方、使用者は、第１ボタン５４を押下しながら頭部を持ち上げることにより、第１空気袋８１が膨張し、その高さが大きくなる。すなわち、使用者が第１ボタン５４を押下している間、第１空気袋８１の高さが調節される。
【００５４】
一方、第１ボタン５４の押下が解除されると、弁装置５は、図１１に示される状態に戻り、第１弁５６は、第１ばね５６ｂによって矢印Ｃ２方向に駆動され、密封体５６ａが第１空気室５３ａの天壁と当接する。これに伴い、ケーシング５３の内部空間５３ｃとホース４の内部との連通が遮断される。これにより、第１空気袋８１の空気収容空間３１と大気とが遮断される第２状態が実現される。かかる第２状態によって第１空気袋８１の高さが適切に維持される。
【００５５】
図１０に示される第２ボタン５５の操作も第１ボタン５４と同様に説明される。すなわち、使用者によって第２ボタン５５が押下されると、第２弁５７及び密封体５７ａが下降し第２空気室５３ｂの天壁から離反し、第２空気袋８２の空気収容空間３１と大気とが連通する第１状態が実現される。使用者が第２ボタン５５を押下している間、第２空気袋８２の高さが調節される。一方、第２ボタン５５の押下が解除されると、第２弁５７は、第２ばね５７ｂによって駆動され、密封体５７ａが第１空気室５３ｂの天壁と当接し、第２空気袋８２の空気収容空間３１と大気とが遮断される第２状態が実現される。
【００５６】
図１０に示されるように、第２操作部５２は、スライドスイッチ５８を有している。スライドスイッチ５８は、ケーシング５３の天壁に沿って矢印Ｄ１方向又は矢印Ｄ２方向に往復自在に設けられている。
【００５７】
第１ボタン５４は、第１ボタン５４のフランジから延出された延出部５４ａ（図１１等参照）を有する。延出部５４ａは、第１ボタン５４の径方向の外側であって、矢印Ｄ１方向及び矢印Ｄ２方向に垂直な方向に延出されている。同様に、第２ボタン５５は、延出部５５ａを有する。延出部５５ａは、第２ボタン５５の径方向の外側であって、矢印Ｄ１方向及び矢印Ｄ２方向に垂直な方向に延出されている。
【００５８】
スライドスイッチ５８は、使用者によって操作されるハンドル部５８ａと、第１ボタン５４のフランジの延出部５４ａに当接しうる一対の第１カム５８ｂと、第２ボタン５５のフランジの延出部５５ａに当接しうる一対の第２カム５８ｃとを有している。ハンドル部５８ａはケーシング５３の外側に設けられている。一対の第１カム５８ｂはケーシング５３の内側であって、第１ボタン５４の両側に設けられている（図１２参照）。同様に、一対の第２カム５８ｃはケーシング５３の内側であって、第２ボタン５５の両側に設けられている。
【００５９】
図１３に示されるように、使用者によってスライドスイッチ５８が矢印Ｄ１方向にスライドされると、第１カム５８ｂ及び第２カム５８ｃによって第１ボタン５４の延出部５４ａ及び第２ボタン５５の延出部５５ａが矢印Ｃ１方向に同時に駆動される。これにより、弁装置５の動作が、第１ボタン５４及び第２ボタン５５が矢印Ｃ１方向に同時に押下された場合の動作と同等となり、第１空気袋８１の空気収容空間３１と大気とが連通する第１状態と第２空気袋８２の空気収容空間３１と大気とが連通する第２状態とが同時に実現される。これにより、第１空気袋８１の空気収容空間３１と第２空気袋８２の空気収容空間３１とを同時に膨張又は収縮させることが可能となる。
【００６０】
スライドスイッチ５８とケーシング５３との間には摩擦力が生じているので、使用者の手等によって一旦スライドスイッチ５８がスライドされた後、スライドスイッチ５８から使用者の手等が離れた場合であっても、スライドスイッチ５８は、ケーシング５３に対して静止している。従って、スライドスイッチ５８を有する第２操作部５２は、操作状態を維持可能である。このような、第２操作部５２は、第１空気袋８１の空気収容空間３１と第２空気袋８２の空気収容空間３１とを同時に膨張又は収縮させる際の使用者の操作負担を低減しうる。
【００６１】
一方、使用者によって第２操作部５２が矢印Ｄ２方向にスライドされると、弁装置５は、図１０に示される状態に戻り、第１カム５８ｂ及び第２カム５８ｃと第１ボタン５４の延出部５４ａ及び第２ボタン５５の延出部５５ａとの当接が解除される。これにより、弁装置５の動作は、第１ボタン５４及び第２ボタン５５の押下が同時に解除された場合の動作と同等となり、第１空気袋８１の空気収容空間３１と大気とが遮断する第１状態と第２空気袋８２の空気収容空間３１と大気とが遮断する第２状態とが同時に実現される。これにより、第１空気袋８１及び第２空気袋８２の膨張又は収縮を同時に停止させることが可能となる。
【００６２】
以上、本考案の枕が詳細に説明されたが、本考案は上記の具体的な実施形態に限定されることなく種々の態様に変更して実施される。
【符号の説明】
【００６３】
１  枕
２  高さ調節部
３  空気袋
３ａ  軸線
４  ホース
５  弁装置
６  第１弾性体
１１  ストラップ
３１  空気収容空間
３１ａ  下側部
３１ｂ上側部
５１  第１操作部
５２  第２操作部
８１  第１空気袋
８２  第２空気袋
８３  凹部
９１、９２  第２弾性体
【図１】
0003187170.tif 000003
【図２】
0003187170.tif 000004
【図３】
0003187170.tif 000005
【図４】
0003187170.tif 000006
【図５】
0003187170.tif 000007
【図６】
0003187170.tif 000008
【図７】
0003187170.tif 000009
【図８】
0003187170.tif 000010
【図９】
0003187170.tif 000011
【図１０】
0003187170.tif 000012
【図１１】
0003187170.tif 000013
【図１２】
0003187170.tif 000014
【図１３】
0003187170.tif 000015